Podtech/llm-jp-corpus-v4-ja_patent huggingface dataset:
【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
第１の組のパラメータを用いて第１の信号をサーチするステップと、
第２の組のパラメータを用いて第２の信号をサーチするステップと、
第３の組のパラメータ及び上記第１及び第２の信号の検出時に得られた情報を使用して他の信号をサーチするステップ
とからなる複数の信号を検出する方法。
【請求項２】
複数のコーリレータを用いて上記第１、第２、及びその他の信号を逐次的にサーチする請求項１記載の方法。
【請求項３】
上記第２の信号をサーチするステップが上記第１の信号の検出時に得られた情報を使用することを含んでいる請求項１記載の方法。
【請求項４】
上記第１、第２、及びその他の信号を独自のコードと関連付けられ、上記第１、第２、及び第３の組のパラメータが少なくとも１つの周波数と、上記第１、第２及びその他の信号をサーチするための複数のコード・フェーズ・サーチ範囲を示す請求項１記載の方法。
【請求項５】
上記第１及び第２の信号の検出時に得られた情報を用いて、上記第３の組のパラメータで示されるコード・フェーズ・サーチ範囲の１つまたは複数を再定義する請求項４記載の方法。
【請求項６】
信号を受信するためのアンテナと、
１組の第１の衛星選択基準からの少なくとも１つの基準に基づいてサーチすべき第１の衛星信号を選択する手段と、
１組の第２の衛星選択基準からの少なくとも１つの基準に基づいてサーチすべき第２の衛星信号を選択するための手段と、
第１の組のパラメータを用いて上記第１の衛星信号を、第２の組のパラメータを用いて第２の衛星信号を、第３の組のパラメータと上記第１及び第２の衛星信号の検出時に得られた情報とを用いてその他の衛星信号を逐次的にサーチする複数のコーリレータとからなり、上記第１、第２、及び第３の組のパラメータが少なくとも１つの周波数と複数のコード・フェーズ・サーチ範囲とを示す受信装置。
【請求項７】
さらに、上記第１の衛星信号を検出時に獲得される情報に基づいて第１のエリアを予想する手段
を含んでいる請求項６記載の受信装置。
【請求項８】
さらに、上記第１のエリアを用いて第２の組に示されているコード・フェーズ・サーチ範囲を再定義するための手段
を含み、上記複数のコーリレータが第２の組のパラメータ内に示されている再定義されたコード・フェーズ・サーチ範囲を用いて上記第２の衛星信号をサーチする請求項７記載の受信装置。
【請求項９】
さらに、上記第２の衛星信号の検出時によって獲得される情報に基づいて第２のエリアを予想する手段
を含む請求項８の受信装置。
【請求項１０】
さらに、
上記第１及び第２のエリアを用いて第３の組のパラメータに示されているコード・フェーズ・サーチ範囲を再定義する手段
を含んでおり、上記複数のコーリレータが上記第３の組のパラメータに示されている再定義されたコード・フェーズ・サーチ範囲を用いて他の衛星信号をサーチする請求項９記載の受信装置。
【手続補正書】
【提出日】平成15年12月25日(2003.12.25)
【手続補正１】
【補正対象書類名】明細書
【補正対象項目名】特許請求の範囲
【補正方法】変更
【補正の内容】
【特許請求の範囲】
【請求項１】
天然または合成シリケートを触媒として用いることを特徴とする、触媒熱分解によりカルバメートからイソシアネートを製造する方法。
【請求項２】
前記天然シリケートがクレーであることを特徴とする請求項１に記載の方法。
【請求項３】
前記天然または合成シリケートがゼオライトであることを特徴とする請求項１に記載の方法。
【請求項４】
前記クレーがモンモリロナイトであることを特徴とする請求項１または２に記載の方法。
【請求項５】
前記クレーが、そのＨ+形に変性したベントナイトであることを特徴とする請求項１または２に記載の方法。
【請求項６】
使用されるゼオライトが、ＺＳＭ−５、ＴＳ−１、ＴＳ−２、ＺＳＭ−１１、リンデＸ、リンデＹ、フォージェサイト（Faujesite）、モルデナイト、およびそれらの混合物から選択されることを特徴とする請求項１または３に記載の方法。
【請求項７】
前記天然または合成シリケートを反応の前にか焼することを特徴とする請求項１〜６のいずれかに記載の方法。
【請求項８】
前記天然または合成シリケートを予め有機酸または無機酸で処理することを特徴とする請求項１〜６のいずれかに記載の方法。
【請求項９】
前記天然または合成シリケートを予めアンモニアまたは有機塩基で処理することを特徴とする請求項１〜６のいずれかに記載の方法。
【請求項１０】
反応温度が１５０℃と３００℃の間であることを特徴とする請求項１〜６のいずれかに記載の方法。
【請求項１１】
反応温度が２００℃と２７５℃の間であることを特徴とする請求項１０に記載の方法。
【手続補正書】
【提出日】平成15年11月20日(2003.11.20)
【手続補正１】
【補正対象書類名】明細書
【補正対象項目名】００２７
【補正方法】変更
【補正の内容】
【００２７】
表４の試験タイヤの作製
表４の各例に示した配合、厚さの補強ゴム層、接着ゴム層、インナーライナー層を作製し、これを所定の配置関係にあるように配置、接着して、タイヤサイズ２２５／６０Ｒ１６  ９８Ｈのランフラットタイヤを作製して各試験タイヤとした。


【手続補正２】
【補正対象書類名】明細書
【補正対象項目名】００２８
【補正方法】変更
【補正の内容】
【００２８】
表４の試験方法
１）ランフラット走行距離：試験タイヤを排気量２５００ccのＦＲ乗用車の前輪に取り付け、空気圧０kPa の状態で速度８０kmで走行し、タイヤが故障するまでの走行距離を基準例のタイヤを１００とした指数で表わす。数字が大きい方がランフラット走行性能が優れていることを示す。
【手続補正書】
【提出日】平成15年9月8日(2003.9.8)
【手続補正１】
【補正対象書類名】明細書
【補正対象項目名】０００６
【補正方法】変更
【補正の内容】
【０００６】
【発明が解決しようとする課題】
本発明は、アルミニウム材及びアルミニウム合金材の陽極酸化塗装複合皮膜における前述した従来の問題を解決すべくなされたものであり、塗料的に安定で、安定した製造が可能であると共に、青味の少ない低彩度のグレー系着色材を得ることが可能な、グレー系色複合皮膜を有するアルミニウム材及びアルミニウム合金材並びにその製造方法を提供することを目的としている。
ここで言うところの低彩度のグレー系色とは、Ｌ*、ａ*、ｂ*表色系の内の明度を示すＬ*値が３３以上であると共に、彩度を示すａ*値、ｂ*値（ａ*値がプラスの場合は赤味方向、マイナスの場合は緑味方向、ｂ*値がプラスの場合は黄味方向、マイナスの場合は青味方向の色調）の絶対値が３以下のもので、かつ、特定の色味が強調されていない色調（例えば、ａ*値とｂ*値の絶対値の差が２以下）のものを言う。
【手続補正書】
【提出日】平成15年8月28日(2003.8.28)
【手続補正１】
【補正対象書類名】明細書
【補正対象項目名】発明の名称
【補正方法】変更
【補正の内容】
【発明の名称】印字制御装置及び印字制御方法


【手続補正２】
【補正対象書類名】明細書
【補正対象項目名】特許請求の範囲
【補正方法】変更
【補正の内容】
【特許請求の範囲】
【請求項１】
画像データを構成する各画素の濃度を多階調で表現する印字制御装置であって、
複数の互いに異なる面積のドットを形成可能な印字部と、
前記各画素に対応した複数のドットが形成される領域を有し、該領域に前記画素の階調値に応じて前記印字部により複数の異なる面積のドットを組み合わせて印字するように制御する印字制御部とを備えたことを特徴とする印字制御装置。
【請求項２】
請求項１記載の印字制御装置において、
前記画素の階調値が前記形成可能なドット面積種以下のときは、前記画素と印字するドットを対応させて印字するよう制御する印字制御部を備えたことを特徴とする印字制御装置。
【請求項３】
請求項１記載の印字制御装置において、
前記領域に印字されるドットの集合により表現される濃度は、前記画素の階調値に対応するように制御する印字制御部を備えたことを特徴とする印字制御装置。
【請求項４】
請求項１記載の印字制御装置において、
前記印字部は、印字濃度の異なるドットを形成可能であり、
前記画素の階調値が前記形成可能なドット面積種と印字濃度の組合せ数以下のときは、前記画素と印字するドットを対応させて印字するよう制御する印字制御部を備えたことを特徴とする印字制御装置。
【請求項５】
請求項４記載の印字制御装置において、
前記印字部は、形成されたドット上に印字濃度を薄めるドットを形成することを特徴とする印字制御装置。
【請求項６】
請求項４記載の印字制御装置において、
前記印字部は、異なる印字濃度のドットを形成可能であることを特徴とする印字制御装置。
【請求項７】
画像データを構成する各画素の濃度を多階調で表現する印字制御方法であって、
各画素に対応して複数のドットが形成される領域を設定するステップと、画素の階調値に応じて前記領域に複数の互いに異なる面積のドットを形成する組み合わせを選択するステップと、前記選択するステップで選択されたドットの組み合わせにより、前記領域にドットを印刷するステップと、
を含むことを特徴とする印字制御方法。
【請求項８】
請求項７記載の印字制御方法において、
前記選択するステップは、前記画素の階調値が互いに異なる面積ドット種以下のとき、前記画素と形成するドットを対応させて組み合わせることを特徴とする印字制御方法。
【請求項９】
請求項７記載の印字制御方法において、
前記選択するステップは、前記領域に形成するドットの集合により表現される濃度を、前記画素の階調値に対応させることを特徴とする印字制御方法。
【請求項１０】
請求項７記載の印字制御方法において、
前記選択するステップは、面積の異なるドットと濃度の異なるドットの組み合わせにより選択することを特徴とする印字制御方法。
【手続補正３】
【補正対象書類名】明細書
【補正対象項目名】０００４
【補正方法】変更
【補正の内容】
【０００４】
【課題を解決するための手段】
本発明は以上の点を解決するため次の構成を採用する。
〈構成１〉
画像データを構成する各画素の濃度を多階調で表現する印字制御装置であって、複数の互いに異なる面積のドットを形成可能な印字部と、前記各画素に対応した複数のドットが形成される領域を有し、該領域に前記画素の階調値に応じて前記印字部により複数の異なる面積のドットを組み合わせて印字するように制御する印字制御部とを備えたことを特徴とする印字制御装置。


【手続補正４】
【補正対象書類名】明細書
【補正対象項目名】０００５
【補正方法】変更
【補正の内容】
【０００５】
〈構成２〉
構成１において、前記画素の階調値が前記形成可能なドット面積種以下のときは、前記画素と印字するドットを対応させて印字するよう制御する印字制御部を備えたことを特徴とする印字制御装置。


【手続補正５】
【補正対象書類名】明細書
【補正対象項目名】０００６
【補正方法】変更
【補正の内容】
【０００６】
〈構成３〉
構成１において、前記領域に印字されるドットの集合により表現される濃度は、前記画素の階調値に対応するように制御する印字制御部を備えたことを特徴とする印字制御装置。


【手続補正６】
【補正対象書類名】明細書
【補正対象項目名】０００７
【補正方法】変更
【補正の内容】
【０００７】
〈構成４〉
構成１において、前記印字部は、印字濃度の異なるドットを形成可能であり、前記画素の階調値が前記形成可能なドット面積種と印字濃度の組合せ数以下のときは、前記画素と印字するドットを対応させて印字するよう制御する印字制御部を備えたことを特徴とする印字制御装置。


【手続補正７】
【補正対象書類名】明細書
【補正対象項目名】０００８
【補正方法】変更
【補正の内容】
【０００８】
〈構成５〉
構成１において、前記印字部は、形成されたドット上に印字濃度を薄めるドットを形成することを特徴とする印字制御装置。


【手続補正８】
【補正対象書類名】明細書
【補正対象項目名】０００９
【補正方法】変更
【補正の内容】
【０００９】
〈構成６〉
構成１において、前記印字部は、異なる印字濃度のドットを形成可能であることを特徴とする印字制御装置。


【手続補正９】
【補正対象書類名】明細書
【補正対象項目名】００１０
【補正方法】変更
【補正の内容】
【００１０】
〈構成７〉
各画素に対応して複数のドットが形成される領域を設定するステップと、画素の階調値に応じて前記領域に複数の互いに異なる面積のドットを形成する組み合わせを選択するステップと、前記選択するステップで選択されたドットの組み合わせにより、前記領域にドットを印刷するステップと、を含むことを特徴とする印字制御方法。


【手続補正１０】
【補正対象書類名】明細書
【補正対象項目名】００１１
【補正方法】変更
【補正の内容】
【００１１】
〈構成８〉
構成７において、前記選択するステップは、前記画素の階調値が互いに異なる面積ドット種以下のとき、前記画素と形成するドットを対応させて組み合わせることを特徴とする印字制御方法。


【手続補正１１】
【補正対象書類名】明細書
【補正対象項目名】００１２
【補正方法】変更
【補正の内容】
【００１２】
〈構成９〉
構成７において、前記選択するステップは、前記領域に形成するドットの集合により表現される濃度を、前記画素の階調値に対応させることを特徴とする印字制御方法。


【手続補正１２】
【補正対象書類名】明細書
【補正対象項目名】００１３
【補正方法】変更
【補正の内容】
【００１３】
〈構成１０〉
構成７において、前記選択するステップは、面積の異なるドットと濃度の異なるドットの組み合わせにより選択することを特徴とする印字制御方法。


【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正書】
【提出日】平成15年8月19日(2003.8.19)
【手続補正１】
【補正対象書類名】明細書
【補正対象項目名】００１３
【補正方法】変更
【補正の内容】
【００１３】
このタイプの解決法にはいくつかの問題点があり、問題点の一つは、特に、集積回路技術とその他の技術が相互に絡み合っているので、製造方法に統一性がないということである。


【手続補正２】
【補正対象書類名】明細書
【補正対象項目名】００２０
【補正方法】変更
【補正の内容】
【００２０】
本発明の構成要素は、現在十分に習得されている微細加工技術を用いた標準CMOS方法によって作成するのが望ましい。個別に作成した部品の組立てを行う必要はまったくない。
【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
支持体上に無機微粒子を含有する多孔質のインク受容層を設けたインクジェット記録材料において、該インク受容層にポリスルフィド化合物を含有し、膜面ｐＨが３〜６であることを特徴とするインクジェット記録材料。
【請求項２】
無機微粒子が気相法シリカである請求項１記載のインクジェット記録材料。
【請求項３】
インク受容層にカチオン性化合物を含有する請求項１または２記載のインクジェット記録材料。
【手続補正書】
【提出日】平成15年7月24日(2003.7.24)
【手続補正１】
【補正対象書類名】明細書
【補正対象項目名】００２８
【補正方法】変更
【補正の内容】
【００２８】
さらに、上記回転軸２１とともにロータ組２０を構成している回転ハブ２２は、図示を省略した磁気ディスク等の記録媒体を搭載するように、アルミ系金属からなる略カップ状部材からなり、当該回転ハブ２２の中心部分に設けられた接合穴２２ｄが、上記回転軸２１の図示上端部分に対して、圧入又は焼嵌めによって一体的に接合されている。


【手続補正２】
【補正対象書類名】明細書
【補正対象項目名】００４６
【補正方法】変更
【補正の内容】
【００４６】
すなわち、上記内面仕上加工工具４１が回転駆動されると、４つの転造加工部材４１ｅが回転芯駒部材４１ｃの回りに互いに等速回転しながら軸受素材１３Ａの下孔１３Ａ１の内周面に接触することとなり、その下孔１３Ａ１の内周面に対する等速回転と等圧力により自動調心作用が働く。そして、その自動調心作用によって、上記回転芯駒部材４１ｃの中心軸線が、前記軸受素材１３Ａの下孔１３Ａ１の中心軸線と一致するように半径方向および軸傾斜方向へ強制移動され、その結果、上記４つの転造加工部材４１ｅにおける各転造加工面の最外周面どうしを結んだ加工径Ｄの中心軸線が、前記軸受素材１３Ａの下孔１３Ａ１の中心軸線と自動的かつ高精度に一致することとなる。このように中心軸線の位置合わせが高精度に行われた状態で、上記転造加工部材４１ｅによる仕上げ加工が開始されることとなり、以後は、当該転造加工部材４１ｅによる押圧印作用によって、切削加工のような挽き跡やうねり跡を残すことなく、軸受内周面が高精度に仕上げられる。
【手続補正書】
【提出日】平成15年12月8日(2003.12.8)
【手続補正１】
【補正対象書類名】明細書
【補正対象項目名】特許請求の範囲
【補正方法】変更
【補正の内容】
【特許請求の範囲】
【請求項１】
波長７００ｎｍから１０００ｎｍまでの光に感度を有する記録媒体面上に画像を形成する画像形成装置に用いられ、且つ、アレイ状に配列した複数のロッドレンズと、該複数のロッドレンズ間に充填して、該複数のロッドレンズを固定する不透明な物質と、該複数のロッドレンズのアレイ方向の側面を抑えた側板と、を有するロッドレンズアレイにおいて、
該ロッドレンズの周囲の表面を波長７００ｎｍから１０００ｎｍまでの光を吸収する特性をもつ吸収材料で塗装され、
該吸収材料は、カーボンブラック又はナフタロシアニン化合物を含有した黒色塗料であることを特徴とするロッドレンズアレイ。
【請求項２】
請求項１記載のロッドレンズアレイと、複数の発光素子をアレイ状に配列した発光手段と、波長７００ｎｍから１０００ｎｍまでの光に感度を有する感光体と、を備え、該発光手段から画像信号に応じて発光した波長７００ｎｍから１０００ｎｍまでの光を該ロッドレンズアレイにより感光体面上に結像させ、該感光体面上に画像を形成することを特徴とする画像形成装置。
【請求項３】
前記発光手段はＬＥＤアレイであることを特徴とする請求項２記載の画像形成装置。
【請求項４】
前記感光体は有機半導体であることを特徴とする請求項２又は３記載の画像形成装置。
【手続補正２】
【補正対象書類名】明細書
【補正対象項目名】００１７
【補正方法】変更
【補正の内容】
【００１７】
【課題を解決するための手段】
請求項１の発明のロッドレンズアレイは、
波長７００ｎｍから１０００ｎｍまでの光に感度を有する記録媒体面上に画像を形成する画像形成装置に用いられ、且つ、アレイ状に配列した複数のロッドレンズと、該複数のロッドレンズ間に充填して、該複数のロッドレンズを固定する不透明な物質と、該複数のロッドレンズのアレイ方向の側面を抑えた側板と、を有するロッドレンズアレイにおいて、
該ロッドレンズの周囲の表面を波長７００ｎｍから１０００ｎｍまでの光を吸収する特性をもつ吸収材料で塗装され、
該吸収材料は、カーボンブラック又はナフタロシアニン化合物を含有した黒色塗料であることを特徴としている。


【手続補正３】
【補正対象書類名】明細書
【補正対象項目名】００１８
【補正方法】変更
【補正の内容】
【００１８】
請求項２の発明の画像形成装置は、
請求項１記載のロッドレンズアレイと、複数の発光素子をアレイ状に配列した発光手段と、波長７００ｎｍから１０００ｎｍまでの光に感度を有する感光体と、を備え、該発光手段から画像信号に応じて発光した波長７００ｎｍから１０００ｎｍまでの光を該ロッドレンズアレイにより感光体面上に結像させ、該感光体面上に画像を形成することを特徴としている。


【手続補正４】
【補正対象書類名】明細書
【補正対象項目名】００１９
【補正方法】変更
【補正の内容】
【００１９】
請求項３の発明は請求項２の発明において、
前記発光手段はＬＥＤアレイであることを特徴としている。


【手続補正５】
【補正対象書類名】明細書
【補正対象項目名】００２０
【補正方法】変更
【補正の内容】
【００２０】
請求項４の発明は請求項２又は３の発明において、
前記感光体は有機半導体であることを特徴としている。


【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２９
【補正方法】変更
【補正の内容】
【００２９】
本実施形態ではこのロッドレンズ１の周囲の表面１ａ（入射面１ｂ、出射面１ｃ以外）を近赤外光を吸収する特性をもつ材料（吸収材料）として、例えばカーボンブラックを含有した黒色塗料にて塗装（近赤外光吸収塗装）３としている。このカーボンブラックを含有した黒色塗料は光プリンター用のＬＥＤの発振波長の主流域である７００ｎｍから８００ｎｍ付近の近赤外光に対して十分な吸収特性を有している。
【手続補正書】
【提出日】平成15年12月1日(2003.12.1)
【手続補正１】
【補正対象書類名】明細書
【補正対象項目名】特許請求の範囲
【補正方法】変更
【補正の内容】
【特許請求の範囲】
【請求項１】
一端にステアリングギヤが連結され、他端にステアリングホイールを有するステアリングシャフトと、このステアリングシャフトを回転自在に支持するステアリングコラムと、該ステアリングコラムを駆動して、前記ステアリングシャフトの位置を調節する電動アクチュエータとから成り、該電動アクチュエータはステアリングコラムに連結され、一端に雄ネジ部を有するネジ軸と、このネジ軸の雄ネジ部に、螺合する雌ネジ孔を有し、該ネジ軸を回転可能且つネジ軸の軸方向に移動不能に支承し、外周部にギヤが形成されたギヤ部と該ギヤ部の軸心方向の両側に延在する軸受部とから成るネジギヤとから成り、前記ネジギヤを電動モータで回転駆動して該ネジ軸を軸方向に移動させることにより、ステアリングコラムを駆動して前記ステアリングシャフトの位置を調節する電動式ステアリング装置において、
前記ネジギヤの両軸受部には、その軸周りに軸方向のスリットが、当該軸受部両端側に開く形で設けられ、且つ、前記雌ネジ孔の有効径は、前記ギヤ部が位置する中央部を、低温時に締まる締めシロを加えた大径に、前記軸受部両端を、常温でスキのない小径にすると共に、前記大径から小径へと徐々に変化する形に成形されていることを特徴とする電動式ステアリング装置。
【請求項２】
前記有効径の雌ネジ孔は、常温時にスキのない雌ネジ孔の有効径と同一有効径のタップを、低温時に、当該雌ネジ孔に通すか、あるいは、常温時に、前記低温時に締まる締めシロを加えた有効径のタップを、前記常温時にスキのない有効径の雌ネジ孔に通すことにより成形することを特徴とする請求項１記載のネジギヤの加工方法。
【手続補正２】
【補正対象書類名】明細書
【補正対象項目名】０００９
【補正方法】変更
【補正の内容】
【０００９】
【課題を解決するための手段】
上記した課題を達成するために、請求項１の発明では、一端にステアリングギヤが連結され、他端にステアリングホイールを有するステアリングシャフトと、このステアリングシャフトを回転自在に支持するステアリングコラムと、該ステアリングコラムを駆動して、前記ステアリングシャフトの位置を調節する電動アクチュエータとから成り、該電動アクチュエータはステアリングコラムに連結され、一端に雄ネジ部を有するネジ軸と、このネジ軸の雄ネジ部に、螺合する雌ネジ孔を有し、該ネジ軸を回転可能且つネジ軸の軸方向に移動不能に支承し、外周部にギヤが形成されたギヤ部と該ギヤ部の軸心方向の両側に延在する軸受部とから成るネジギヤとから成り、前記ネジギヤを電動モータで回転駆動して該ネジ軸を軸方向に移動させることにより、ステアリングコラムを駆動して前記ステアリングシャフトの位置を調節する電動式ステアリング装置において、前記ネジギヤの両軸受部には、その軸周りに等間隔で軸方向に複数のスリットを、当該軸受部両端側に開く形で設け、且つ、前記雌ネジ孔の有効径を、前記ギヤ部が位置する中央部を、低温時に締まる締めシロを加えた大径に、前記軸受部両端を、常温でスキのない小径にすると共に、前記大径から小径へと徐々に変化する形に成形したことを特徴としている。
【手続補正書】
【提出日】平成16年1月23日(2004.1.23)
【手続補正１】
【補正対象書類名】明細書
【補正対象項目名】特許請求の範囲
【補正方法】変更
【補正の内容】
【特許請求の範囲】
【請求項１】
複数の図柄を変動表示可能な変動表示装置を備え、該変動表示の結果において表示された図柄が予め定められた特別の組合せ表示態様を形成した場合に、所定の遊技価値が付与可能となる遊技機において、
予め定められた順序に設定された複数の図柄を一区切り毎のコマ単位で順次更新して変動表示を行なう図柄変動表示制御手段を備え、
前記図柄変動表示制御手段は、変動表示が一巡するコマ数を変更することなく、所定のコマ単位において表示する図柄の数を増加させる増加制御を行う図柄数増加制御手段を含み、
前記図柄数増加制御手段は、前記予め定められた順序に対応するように前記コマにおける図柄の増加を行うとともに、所定の特別の組合せ表示態様を成立し得る図柄が、複数の区切りのコマにおいて表示されるように、前記増加制御を行うようにしたことを特徴とする遊技機。
【請求項２】
前記図柄数増加制御手段は、全てのコマにおいて表示する図柄の数を増加させるようにしたことを特徴とする請求項１に記載の遊技機。
【請求項３】
前記図柄数増加制御手段は、リーチ変動表示を行なう場合に、所定の特別の組合せ表示態様を形成し得る図柄が複数の区切りのコマに含まれるように前記増加制御を行うことを特徴とする請求項１または請求項２に記載の遊技機。
【請求項４】
前記図柄数増加制御手段は、前記コマにおいて表示する図柄の増加数を所定の確率に基づいて変更する図柄増加数変更手段を含み、
前記図柄増加数変更手段は、予め決定されているリーチ変動表示の結果が特別の組合せ表示態様の場合には、図柄の増加率が高まるように制御することを特徴とする請求項３に記載の遊技機。
【請求項５】
遊技の進行を制御する遊技制御装置と、該遊技制御装置からの表示制御情報に基づいて前記変動表示装置の表示制御を行なうと共に前記図柄変動表示制御手段を構成する表示制御装置とを備え、
前記遊技制御装置は、前記変動表示の実行期間を特定する情報を含む表示制御情報を前記表示制御装置に送信し、
前記表示制御装置に含まれる図柄数増加制御手段は、受信した表示制御情報で特定される同一の実行期間の変動表示に対して、複数態様の増加制御を可能としたことを特徴とする請求項１から請求項４の何れかに記載の遊技機。
【請求項６】
前記図柄変動表示制御手段は、前記図柄数増加制御手段が前記コマにおいて、増加させた図柄の数に応じて、縦方向、横方向あるいは斜め方向の何れかの方向にスクロールさせて変動表示を行うことを特徴とする請求項１から請求項５の何れかに記載の遊技機。
【手続補正２】
【補正対象書類名】明細書
【補正対象項目名】００１１
【補正方法】変更
【補正の内容】
【００１１】
【課題を解決するための手段】
上記目的を達成するため本発明に係る遊技機は、複数の図柄を変動表示可能な変動表示装置（１０２）を備え、該変動表示の結果において表示された図柄が予め定められた特別の組合せ表示態様を形成した場合に、所定の遊技価値が付与可能となる遊技機において、予め定められた順序に設定された複数の図柄を一区切り毎のコマ単位で順次更新して変動表示を行なう図柄変動表示制御手段（表示制御装置４００）を備え、前記図柄変動表示制御手段は、変動表示が一巡するコマ数を変更することなく、所定のコマ単位において表示する図柄の数を増加させる増加制御を行う図柄数増加制御手段（表示制御装置４００）を含み、前記図柄数増加制御手段は、前記予め定められた順序に対応するように前記コマにおける図柄の増加を行うとともに、所定の特別の組合せ表示態様を成立し得る図柄が、複数の区切りのコマにおいて表示されるように、前記増加制御を行うようにした。


【手続補正３】
【補正対象書類名】明細書
【補正対象項目名】００１２
【補正方法】変更
【補正の内容】
【００１２】
これにより、１コマで表示される図柄の数が増加されて、遊技内容が変化性に富んだものとなり興趣を向上させることができ、その増加した分、リーチの組合せ表示態様や特別の組合せ表示態様の成立に対する期待感を高めることができる。
しかも、図柄数の増加を行なっても、全体のコマ数は変化しないので、変動表示の進行を認識する上で遊技者に何ら戸惑いを感じさせることも無い。さらに、図柄数増加制御手段は、予め定められた順序に対応するように前記コマにおける図柄の増加を行うとともに、所定の特別の組合せ表示態様を成立し得るコマが増加され、所定の図柄が複数のコマにかけて共通に表示されるように図柄数の増加を行なうので、目的の図柄が停止する可能性が数コマにかけて発生することとなり、遊技者の期待感を長く持続させることができる。
また、通常の変動表示（図柄が増加していない状態での変動表示）における図柄の変動表示順序に関係なしに図柄を増加させた場合には、遊技者は次に更新されて来る図柄が予測できなくなり変動表示の進行を認識することが困難となるが、通常の変動表示における図柄の変動表示順序に対応して図柄の増加を行うことで、変動表示の順序を認識した上で図柄の増加に基づく変動表示を楽しむことができ、期待感を向上させることができる。
【手続補正４】
【補正対象書類名】明細書
【補正対象項目名】００１４
【補正方法】削除
【補正の内容】
【手続補正５】
【補正対象書類名】明細書
【補正対象項目名】００５４
【補正方法】変更
【補正の内容】
【００５４】
【発明の効果】
本発明によれば、１コマで表示される図柄の数が増加されて、遊技内容が変化性に富んだものとなり興趣を向上させることができ、その増加した分、リーチの組合せ表示態様や特別の組合せ表示態様の成立に対する期待感を高めることができるという効果がある。しかも、図柄数の増加を行なっても、全体のコマ数は変化しないので、変動表示の進行を認識する上で遊技者に何ら戸惑いを感じさせることも無いという効果がある。さらに、図柄数増加制御手段は、予め定められた順序に対応するように前記コマにおける図柄の増加を行うとともに、所定の特別の組合せ表示態様を成立し得るコマが増加され、所定の図柄が複数の区切りのコマにおいて共通に表示されるように図柄数の増加を行なうので、目的の図柄が停止する可能性が数コマにかけて発生することとなり、遊技者の期待感を長く持続させることができるという効果がある。
また、通常の変動表示（図柄が増加していない状態での変動表示）における図柄の変動表示順序に関係なしに図柄を増加させた場合には、遊技者は次に更新されて来る図柄が予測できなくなり変動表示の進行を認識することが困難となるが、通常の変動表示における図柄の変動表示順序に対応して図柄の増加を行うことで、変動表示の順序を認識した上で図柄の増加に基づく変動表示を楽しむことができ、期待感を向上させることができるという効果がある。
【手続補正書】
【提出日】平成15年7月8日(2003.7.8)
【手続補正１】
【補正対象書類名】明細書
【補正対象項目名】００２７
【補正方法】変更
【補正の内容】
【００２７】
実施の形態２．
実施の形態１の無停電電源装置には、従来の停電検出器２１を付加することもできる。このようにした実施の形態２の無停電電源装置について説明する。
実施の形態１では、昇圧／降圧チョッパ動作の切り替えを、直流中間回路５の検出電圧のみによって行うものについて述べたが、本実施の形態のものは、停電検出器２１、又は、直流中間回路５の電圧を電圧センサ２２によって検出したもので切り替える。
図４は、実施の形態２に係る無停電電源装置の回路図である。図において１９ｂは第２のパルス発生回路（第２のチョッパ制御手段という）、２０は交流電源１の電圧センサ、２１は電圧センサ２０の検出した電圧値を分析して、交流電源１の停電を検出する停電検出器である。第２のパルス発生回路１９ｂの動作のフローチャートを図４に示す。
【手続補正書】
【提出日】平成15年11月11日(2003.11.11)
【手続補正１】
【補正対象書類名】明細書
【補正対象項目名】特許請求の範囲
【補正方法】変更
【補正の内容】
【特許請求の範囲】
【請求項１】
アルミニウム材と異種金属材を接合予定位置に配置したのち、接合部に高速回転するプローブを接触させ摩擦熱にて軟化させ接合する摩擦撹拌溶接法により、両材を接合することを特徴とするアルミニウム材と異種金属材との接合方法。
【請求項２】
アルミニウム材と異種金属材のうちの強度の高い部材にプローブを接触させる請求項１に記載のアルミニウム材と異種金属材との接合方法。
【請求項３】
異種金属材が鉄系材料である請求項１または２に記載のアルミニウム材と異種金属材との接合方法。
【請求項４】
異種金属材が銅系材料またはチタン系材料またはマグネシウム系材料である請求項１または２に記載のアルミニウム材と異種金属材との接合方法。
【請求項５】
アルミニウム材がＡｌ−Ｃｕ系合金材料またはＡｌ−Ｚｎ−Ｍｇ系合金材料であり、異種金属材がチタン系材料である請求項１または２に記載のアルミニウム材と異種金属材との接合方法。
【請求項６】
請求項１から５のいずれか１項に記載の接合方法により接合された、アルミニウム材と異種金属材との溶接品。
【請求項７】
車両用構造材または継手に用いられる請求項６に記載のアルミニウム材と異種金属材との溶接品。
【請求項８】
電子部品用接合材に用いられる請求項６に記載のアルミニウム材と異種金属材との溶接品。
【請求項９】
航空機用接合材に用いられる請求項６に記載のアルミニウム材と異種金属材との溶接品。
【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
上側に開口縁を有する茶液飲用のカップと、漉し網と、蓋とから成り、上記漉し網の胴部は、円筒状でかつその胴部の外形は、上記カップの開口部からカップ内に挿入した状態で上記のカップの内周面と胴部外周面との問に微小な間隙が残る程度の大きな太径に形成してあると共に上記胴部における下側には、網体が張設してあり、しかも上記胴部における上端の周囲には上記カップにおける開口縁の周囲に乗載できるようにした鍔を張出状に形成してあり、一方、上記蓋は、上記漉し綱の胴部における上部の開口部を塞ぎかつ外周縁が上記の鍔の上に乗載可能な大きさにしてある漉し網内蔵の蓋付きカップにおいて、上記漉し網上部の鍔附近においては、カップに漉し網を装着し、蓋を被せ着けた状態で、漉し網の胴部の外周上部の空気と内部の上部の空気とを連通させる為の通気孔を備えさせて、漉し網の胴部の外周上方から熱湯が上記カップの開口縁上方を通って外方にあふれるのを防止するようにしてあることを特徴とする漉し網内蔵の蓋付きカップ。
【請求項２】
上記通気孔を、上記カップ内で漉し網が偏在的に横方向に移動した場合においても、胴部の外周上部の空気と内部の上部の空気とを連通させ得るように漉し網上部の鍔の複数個所に配設した請求項１記載の漉し網内蔵の蓋付きカップ。
【手続補正書】
【提出日】平成15年11月12日(2003.11.12)
【手続補正１】
【補正対象書類名】明細書
【補正対象項目名】特許請求の範囲
【補正方法】変更
【補正の内容】
【特許請求の範囲】
【請求項１】
被検体内に超音波を送受信する超音波探触子と、この超音波探触子を駆動して超音波を送信すると共に受信した反射エコー信号を処理する超音波送受信部と、この処理された反射エコー信号を用いて運動組織を含む被検体内の断層像データを得る断層像形成手段と、この断層像形成手段からの超音波断層像を記録する画像記録部と、探触子マークを含むボディマークを作成するグラフィック部と、上記断層像形成手段からの超音波断層像及びグラフィック部からのボディマークを合成して表示する画像表示部と、を有して成る超音波診断装置において、
上記被検体の表面に当接された超音波探触子の方向変位を計測すると共に該超音波探触子の方向を算出して超音波探触子の方向を判定する手段を設け、この判定された超音波探触子の方向データを上記グラフィック部へ送ることにより、上記画像表示部に表示されるボディマーク内の探触子マークの方向を表示することを特徴とする超音波診断装置。
【請求項２】
上記超音波探触子の方向判定手段からの超音波探触子の方向データを入力して保存する探触子位置情報記憶手段を設けたことを特徴とする請求項１記載の超音波診断装置。
【請求項３】
上記探触子位置情報記憶手段に保存された方向データを上記画像記録部へ送ることにより、画像表示部に表示されるボディマーク内の探触子マークを再生することを特徴とする請求項２記載の超音波診断装置。
【手続補正２】
【補正対象書類名】明細書
【補正対象項目名】０００１
【補正方法】変更
【補正の内容】
【０００１】
【発明の属する技術分野】
本発明は、超音波を利用して被検体の診断部位について超音波断層像を得ると共に表示する超音波診断装置に関し、特に超音波断層像と共に表示されるボディマーク内の探触子マークの方向を表示することができる超音波診断装置に関する。


【手続補正３】
【補正対象書類名】明細書
【補正対象項目名】０００５
【補正方法】変更
【補正の内容】
【０００５】
そこで、本発明は、このような問題点に対処し、超音波断層像と共に表示されるボディマーク内の探触子マークの方向を表示することができる超音波診断装置を提供することを目的とする。


【手続補正４】
【補正対象書類名】明細書
【補正対象項目名】０００６
【補正方法】変更
【補正の内容】
【０００６】
【課題を解決するための手段】
上記目的を達成するために、本発明による超音波診断装置は、被検体内に超音波を送受信する超音波探触子と、この超音波探触子を駆動して超音波を送信すると共に受信した反射エコー信号を処理する超音波送受信部と、この処理された反射エコー信号を用いて運動組織を含む被検体内の断層像データを得る断層像形成手段と、この断層像形成手段からの超音波断層像を記録する画像記録部と、探触子マークを含むボディマークを作成するグラフィック部と、上記断層像形成手段からの超音波断層像及びグラフィック部からのボディマークを合成して表示する画像表示部と、を有して成る超音波診断装置において、上記被検体の表面に当接された超音波探触子の方向変位を計測すると共に該超音波探触子の方向を算出して超音波探触子の方向を判定する手段を設け、この判定された超音波探触子の方向データを上記グラフィック部へ送ることにより、上記画像表示部に表示されるボディマーク内の探触子マークの方向を表示するようにしたものである。


【手続補正５】
【補正対象書類名】明細書
【補正対象項目名】０００７
【補正方法】変更
【補正の内容】
【０００７】
また、上記超音波探触子の方向判定手段からの超音波探触子の方向データを入力して保存する探触子位置情報記憶手段を設けたものである。
そして、上記探触子位置情報記憶手段に保存された方向データを上記画像記録部へ送ることにより、画像表示部に表示されるボディマーク内の探触子マークを再生するようにしてもよい。


【手続補正６】
【補正対象書類名】明細書
【補正対象項目名】００１０
【補正方法】変更
【補正の内容】
【００１０】
ＤＳＣ３は、上記超音波送受信部２からの反射エコー信号を用いて運動組織を含む被検体内の断層像データを所定周期で繰り返して得ると共にこの断層像データを走査変換して出力する断層像形成手段となるもので、上記超音波送受信部２によって得られた断層像データをその超音波送受信に同期して取り込み、超音波受信に非同期で読み出すようにして走査変換を行うようになっている。なお、図示省略したが、上記ＤＳＣ３は、超音波送受信部２からの反射エコー信号をディジタル信号に変換するＡ／Ｄ変換器と、このＡ／Ｄ変換器から出力されるディジタル信号を超音波ビームの１走査線毎に書き込みと読み出しを繰り返す二つのラインメモリと、このラインメモリから出力される画像データを各超音波ビームの走査線位置又は方向に対応させて書き込むフレームメモリと、このフレームメモリに上記画像データを書き込む際のアドレスを発生するアドレス発生器とから成り、これらの構成要素は後述の制御部８によって制御されるようになっている。


【手続補正７】
【補正対象書類名】明細書
【補正対象項目名】００２０
【補正方法】変更
【補正の内容】
【００２０】
【発明の効果】
本発明は以上のように構成されたので、請求項１に係る発明によれば、超音波探触子の方向判定手段により、被検体の表面に当接された超音波探触子の方向変位を計測すると共に該超音波探触子の方向を算出して超音波探触子の方向を判定し、この判定された超音波探触子の方向データをグラフィック部へ送ることにより、画像表示部に超音波断層像と共に表示されるボディマーク内の探触子マークの方向を表示することができる。従って、ボディマークの全体を表示するのに容易且つ短時間で表示することができる。また、従来のように操作者の感覚により操作卓を手動で操作して探触子マークの方向を入力するのではないので、探触子マークを正確に表示することができる。


【手続補正８】
【補正対象書類名】明細書
【補正対象項目名】００２１
【補正方法】変更
【補正の内容】
【００２１】
また、請求項２，３に係る発明によれば、探触子位置情報記憶手段により、上記超音波探触子の方向判定手段からの超音波探触子の方向データを入力して保存することができる。そして、上記探触子位置情報記憶手段に保存された方向データを画像記録部へ送ることにより、画像表示部に表示されるボディマーク内の探触子マークを再生することができる。従って、検査後に被検体の超音波断層像を再生して診断する際に、該被検体と超音波探触子との位置関係が定量的に分かり、診断が容易となる。
【手続補正書】
【提出日】平成15年11月18日(2003.11.18)
【手続補正１】
【補正対象書類名】明細書
【補正対象項目名】特許請求の範囲
【補正方法】変更
【補正の内容】
【特許請求の範囲】
【請求項１】
内視鏡の鉗子チャンネルに挿通可能な管状の挿入部と、
前記挿入部に設けられた複数の吸引口と、
前記吸引口に吸引力を作用させて、吸引口を生体組織が吸着可能な吸引作動状態に設定する吸引手段と、
前記吸引手段による吸引時に、開口する吸引口のうちの１つのみを吸引作動状態とする手段と、
を具備することを特徴とする生体組織回収具。
【請求項２】
内視鏡の鉗子チャンネルに挿通可能な管状の挿入部と、
前記挿入部に設けられた複数の吸引口と、
前記挿入部内に配置され該挿入部の軸方向に移動可能であると共に手元側が吸引手段に接続された連通パイプと、
前記連通パイプと前記管状挿入部との間であって、前記複数の吸引口のうち所定の吸引口より手元側の気密を保持する気密保持手段と、
を有することを特徴とする生体組織回収具。
【手続補正書】
【提出日】平成15年11月18日(2003.11.18)
【手続補正１】
【補正対象書類名】明細書
【補正対象項目名】特許請求の範囲
【補正方法】変更
【補正の内容】
【特許請求の範囲】
【請求項１】
内視鏡の鉗子チャンネルに挿通可能なシース部と、前記シース部の手元側に設けられた吸引手段と、前記シース部の遠位端に位置した先端処置部と、前記先端処置部に設けられた外刃を有する吸引孔と、前記吸引孔の少なくとも一部に合致する内刃を有するカッタ部材とを具備し、前記吸引手段により前記吸引孔を通じて前記先端処置部内に生体組織を吸引し、前記先端処置部と前記カッタ部材とを相対移動させて生体組織を切除し、前記吸引手段により切除組織を手元側まで搬送回収する吸引生検具において、
前記カッタ部材が筒形状であり、カッタ部材の周面の一部を除去することにより側孔を形成し、この側孔の端縁に内刃を形成したことを特徴とする吸引生検具。
【請求項２】
内視鏡の鉗子チャンネルに挿通可能なシース部と、前記シース部の手元側に設けられた吸引手段と、前記シース部の遠位端に位置した先端処置部と、前記先端処置部に設けられた外刃を有する吸引孔と、前記吸引孔の少なくとも一部に合致する内刃を有するカッタ部材とを具備し、前記吸引手段により前記吸引孔を通じて前記先端処置部内に生体組織を吸引し、前記先端処置部と前記カッタ部材とを相対移動させて生体組織を切除する吸引生検具において、
前記カッタ部材が筒形状であり、カッタ部材の周面の一部を除去することにより側孔を形成し、この側孔の端縁に内刃を形成したことを特徴とする吸引生検具。
【手続補正書】
【提出日】平成15年11月18日(2003.11.18)
【手続補正１】
【補正対象書類名】明細書
【補正対象項目名】特許請求の範囲
【補正方法】変更
【補正の内容】
【特許請求の範囲】
【請求項１】
内視鏡の鉗子チャンネルに挿通可能なシース部と、
前記シース部の手元側に設けられた吸引手段と、
前記シース部の遠位端に位置する切除組織収納部と、
前記収納部の遠位端に位置する先端処置部と、
前記先端処置部に設けられた吸引孔と、
前記先端処置部内に設けられたカッタ部材とを具備し、
前記吸引手段により前記吸引孔を通じて前記先端処置部に生体組織を吸引し、前記先端処置部とカッタ部材との相対移動により生体組織を切除し、前記収納部に切除組織を収納する吸引生検具において、
前記シース部の先端側と前記先端処置部とを連通するバイパス手段を具備することを特徴とする吸引生検具。
【請求項２】
内視鏡の鉗子チャンネルに挿通可能なシース部と、
前記シース部の手元側に設けられた吸引手段と、
所定の切除具により切除された切除組織を収納する切除組織収納部と、
前記切除組織収納部の遠位端に位置する先端部と、
前記先端部に設けられた吸引孔と、
前記シース部の先端側と前記吸引孔とを連通するバイパス手段と、
を有することを特徴とする吸引生検具。
【手続補正書】
【提出日】平成15年11月13日(2003.11.13)
【手続補正１】
【補正対象書類名】明細書
【補正対象項目名】特許請求の範囲
【補正方法】変更
【補正の内容】
【特許請求の範囲】
【請求項１】
手持ち部材内に口腔内を照射する照明機構を備えた歯科用治療装置において、
前記照明機構における接続用の端子と一体の電極上に、複数個の並列接続されたＬＥＤチップ上に蛍光体の層を設けて白色発光させる発光部を配置したことを特徴とする照明機構を備えた歯科用治療装置。
【請求項２】
手持ち部材内に口腔内を照射する照明機構を備えた歯科用治療装置において、
前記照明機構における接続用の端子と一体の電極上に、複数個の直列接続されたＬＥＤチップ上に蛍光体の層を設けて白色発光させる発光部を配置したことを特徴とする照明機構を備えた歯科用治療装置。
【請求項３】
前記照明機構における接続用の端子と一体の電極上に、前記複数個のＬＥＤチップを、発光を集中させる方向の角度に手設して成ることを特徴とする請求項１または２記載の照明機構を備えた歯科用治療装置。
【請求項４】
前記照明機構における接続用の端子と一体の電極上に、前記複数個のＬＥＤチップを配置するとともに、前記発光部を形成する透光部に前記複数個のＬＥＤチップからの光を集光する集光レンズを設けて成ることを特徴とする請求項１、２または３記載の照明機構を備えた歯科用治療装置。
【手続補正２】
【補正対象書類名】明細書
【補正対象項目名】０００７
【補正方法】変更
【補正の内容】
【０００７】
よって本発明は前記問題点に鑑みてなされたものであり、ＬＥＤチップで白色発光させるとともに、発光の光度を強化して露光部を照射することができる発光部を照明機構に備えた歯科用治療装置の提供を目的とする。


【手続補正３】
【補正対象書類名】明細書
【補正対象項目名】０００８
【補正方法】変更
【補正の内容】
【０００８】
【課題を解決するための手段】
上記目的を達成するため、本発明の、請求項１は、手持ち部材内に口腔内を照射する照明機構を備えた歯科用治療装置において、前記照明機構における接続用の端子と一体の電極上に、複数個の並列接続されたＬＥＤチップ上に蛍光体の層を設けて白色発光させる発光部を配置したことを特徴とするものであり、従来の緑色、赤色、青色の３原色発光素子にて構成するフルカラーＬＥＤの場合に、各素子を電気的に接続するために４端子を必要としていたことに比べて、２端子にて接続が可能となる。また、発光色を調整する電流調整回路が不要になるとともに、色のバランスが崩れない。さらに、複数個のＬＥＤチップを並列に接続して成るものであるから、照射部に対する光度を増すことが可能になる。
請求項２は、請求項１と同様な構成で、複数個のＬＥＤチップを直列に接続して成るものであり、照射部に対する光度を増すことが可能になる。
請求項３は、請求項１または２において、複数個のＬＥＤチップの発光を集中させるために、それぞれのＬＥＤチップを集光可能な方向の角度に手設して成るものであり、露光部を照射する光度を強化することが可能になる。
請求項４は、請求項１、２または３において、前記発光部を形成する透光部に前記複数個のＬＥＤチップからの光を集光する集光レンズを設けて成るものであり、さらに光度を増すことが可能になる。なお、本発明のＬＥＤチップ本体は２本の接続端子を有する一般の電球と同様であるのでＬＥＤチップの交換が容易である。


【手続補正４】
【補正対象書類名】明細書
【補正対象項目名】００２７
【補正方法】変更
【補正の内容】
【００２７】
【発明の効果】
本発明によれば、請求項１は、接続用の端子と一体の電極上に、複数個の並列接続されたＬＥＤチップ上に蛍光体の層を設けて白色発光させる発光部を配置したものであるから、従来のフルカラーＬＥＤ２３の場合に、各発光素子の電気的接続に４端子を必要としていたことに比べて、２端子にて接続することが可能になり省スペース化が可能であるとともに、色を調整する電流調整回路が不要となるので製造コストを低減することが可能となる。さらに、複数個の発光素子を並列接続しているので露光部に対する照射光度を増すことが可能になる。
請求項２は、請求項１と同様な効果を奏し、かつ、複数個の発光素子を直列に接続することにより露光部に対する照射光度を増すことが可能になる。
請求項３は、請求項１又は２において、複数個のＬＥＤチップの発光を集中させる方向に手設角度を設定したことにより、露光部に対する照射光度を増すことが可能になる。
請求項４は、請求項１から３において、照射部を形成する透光部に集光レンズを設けたことにより、露光部に対する照射光度をさらに強化すことが可能になる。なお、前記発光部は、接続端子が２本であり、２本の接続端子を有する一般の電球と同様に装脱が可能である。従って、ＬＥＤチップが劣化した際の交換が容易、かつ低価額である。